(57)【特許請求の範囲】
【請求項１】
合成樹脂製のフック（２）と合成樹脂製のアイ（３）をそれぞれ別個の生地（４，５）に接着させてなるかぎホック（１）であって、
前記フック（２）は、前記生地（４）の織目や編目を通過する合成樹脂により一体形成された正面側及び裏面側の基部（２１）と、正面側において、前記生地から浮き上がった状態で前記基部から伸びる延長部（２２）とを有し、
前記アイ（３）は、前記生地（５）の織目や編目を通過する合成樹脂により一体形成された正面側のポケット（３３）と、裏面側の支持部（３６）とを有し、前記ポケット（３３）の底部は閉鎖されていることを特徴とするかぎホック（１）。
【請求項２】
前記フック（２）の延長部（２２）の内部表面に位置固定用の第１係合部（２３）が形成されており、前記アイ（３）の前記ポケット（３３）の内部表面に前記第１係合部（２３）と係合する第２係合部（３４）が形成されている請求項１記載のかぎホック。
【請求項３】
前記生地（４，５）がテープであり、前記フック（２）及び前記アイ（３）が一定間隔で複数個形成されたものである請求項１又は２記載のかぎホック。
【請求項４】
前記延長部（２２）が前記テープの長手方向に向くように前記フック（２）が前記テープに対して接着され、前記ポケット（３３）の開口が前記テープの長手方向に向くように前記アイ（３）が前記テープに対して接着されている請求項３記載のかぎホック。
【請求項５】
前記延長部（２２Ａ）が前記テープの幅方向に向くように前記フック（２Ａ）が前記テープに対して接着され、前記ポケット（３３Ａ）の開口が前記テープの幅方向に向くように前記アイ（３Ａ）が前記テープに対して接着されている請求項３記載のかぎホック。
【発明の詳細な説明】
【技術分野】
【０００１】
本発明は、衣服等において使用する合成樹脂製のかぎホックに関する。
【背景技術】
【０００２】
衣服等の開閉部に取り付けられるかぎホックは、フック（雄部）とアイ（雌部）からなる周知の部材であり、通常は金属で形成されている。金属部品を生地に取り付けるためには糸による取付が必要であって、コストの上昇をもたらすと共に、使用中に糸がほどけるようなことがあった。また、そのような金属製のかぎホックは洗濯中に他の衣服を傷つけることもあった。
【０００３】
それを避けるためにブラジャーなどでは合成樹脂製のかぎホックも使用されるようになってきた（特開２００４−１７６２２０参照）。
【発明の概要】
【発明が解決しようとする課題】
【０００４】
しかし、たとえばズボンやスカートなどのように腹圧が強くかかる部分に使用するかぎホックとしては、出願人の知る限り、合成樹脂製のかぎホックは登場していない。その理由は、おそらく強度が十分に確保できないのが理由と思われる。
【０００５】
本発明は、この問題を解決して強い圧力がかかる部分にも使用可能な合成樹脂製のかぎホックを提供することを目的とする。
【課題を解決するための手段】
【０００６】
上記目的を解決する本発明は、合成樹脂製のフックと合成樹脂製のアイをそれぞれ別個の生地に接着させてなるかぎホックであって、前記フックは、前記生地の織目や編目を通過する合成樹脂により一体形成された正面側及び裏面側の基部と、正面側において、前記生地から浮き上がった状態で前記基部から伸びる延長部とを有し、前記アイは、前記生地の織目や編目を通過する合成樹脂により一体形成された正面側のポケットと、裏面側の支持部とを有し、前記ポケットの底部は閉鎖されていることを特徴とする（請求項１）
【０００７】
好ましくは、前記フックの延長部２２の内部表面に位置固定用の第１係合部２３が形成されており、前記アイのポケット正面板の内部表面に前記第１係合部と係合する第２係合部が形成されていることである（請求項２）。
【０００８】
好ましくは、前記生地はテープであり、前記フック及び前記アイは一定間隔で複数個形成されたものである（請求項３）。
【０００９】
前記テープに前記フック及び前記アイを接着させるとき、前記延長部が前記テープの長手方向に向くように前記フックを前記テープに対して接着し、前記ポケット開口が前記テープの長手方向に向くように前記アイを前記テープに対して接着するのが普通である（請求項４）。
【００１０】
別法として、前記延長部が前記テープの幅方向に向くように前記フックを前記テープに対して接着し、前記ポケット開口が前記テープの長手方向に向くように前記アイを前記テープに対して接着してもよい（請求項５）。
【００１１】
本発明のかぎホックは一対の合成樹脂製のフックと合成樹脂製のアイを同一の生地に接着させてなる衣服のウエストサイズ延長具としても使用することができる。この延長具は、前記フックは、前記生地を通過する合成樹脂により一体形成された正面側及び裏面側の基部と、正面側において、前記生地から浮き上がった状態で前記基部から伸びる延長部とを有し、前記アイは、前記生地を通過する合成樹脂により一体形成された正面側のポケットと、裏面側の支持部とを有し、前記フックと前記アイの前記各正面側が、生地のそれぞれ表裏に位置するように取り付けられていることを特徴とする（請求項６）。生地は弾性体であることが好ましい（請求項７）。
【発明の効果】
【００１２】
本発明のかぎホックは、合成樹脂により成型するので、金属のものと較べて、糸による取付が不要であり、厚みを薄くすることも厚くすることも自由に設計できる。
【００１３】
さらに、アイ及びフックは生地に対して強固に接着されるので、ズボンやスカートの開閉部などのように腹圧が強くかかる部分にも十分使用可能であることがわかった。測定によると、生地に対して平行方向には１０ｋｇ、垂直方向には５ｋｇの耐久性能を示した。
【００１４】
請求項２に記載の第１，第２係合部を設けることにより、その部分で「カチッ」とスナップ嵌めされ位置が仮固定される。この仮固定は指で引っ張れば簡単に解除される程度のものである。
【００１５】
請求項３に記載のようにテープにアイ及びフックをそれぞれ複数個配置させると、一度に多数のものが成形できる。また、一対ずつ切り出さないでも、ベルトやカーテンなどに使用するときはテープ形状のまま使用することもできる。
【００１６】
請求項４に記載のようにフック及びアイを配置すると製造が容易である。請求項４に記載のようにフック及びアイを配置すると製品によっては後加工が容易となる。
【００１７】
請求項６によれば、本発明のかぎホックの一使用法が提供される。すなわち、一対の合成樹脂製のフックと合成樹脂製のアイを同一の生地に接着させてなる衣服のウエストサイズ延長具としても使用することが可能である。
【図面の簡単な説明】
【００１８】
【図１】本発明実施例で使用するフック（雄部）とアイ（雌部）の（ａ）係合前の斜視図である。
【図２】本発明実施例で使用するフックとアの（ａ）係合前、（ｂ）係合中を示す断面図である。
【図３】本発明実施例１で使用するフックの（ａ）正面図、（ｂ）背面図であって、テープ上に複数個成形されている。
【図４】本発明実施例１で使用するフックの正面側斜視図である。
【図５】本発明実施例１で使用するフックの背面側斜視図である。
【図６】本発明実施例１で使用するフックの（ａ）拡大正面図、（ｂ）拡大側面図、（ｃ）拡大背面図、（ｄ）Ｘ−Ｘ断面図、（ｅ）Ｙ−Ｙ断面図である。
【図７】本発明実施例１で使用するアイの（ａ）正面図、（ｂ）背面図であって、テープ上に複数個成形されている。
【図８】本発明実施例１で使用するアイの正面側斜視図である。
【図９】本発明実施例１で使用するアイの背面側斜視図である。
【図１０】本発明実施例１で使用するアイの（ａ）拡大正面図、（ｂ）拡大側面図、（ｃ）拡大背面図、（ｄ）Ｘ−Ｘ断面図、（ｅ）Ｙ−Ｙ断面図である。
【図１１】本発明実施例２で使用するフックの（ａ）正面図、（ｂ）背面図であって、テープ上に複数個成形されている。
【図１２】本発明実施例２で使用するアイの（ａ）正面図、（ｂ）背面図であって、テープ上に複数個成形されている。
【図１３】実施例３に係る、衣服のウエストサイズ延長具の斜視図である。
【図１４】実施例３で使用する、衣服のウエストサイズ延長具の（ａ）正面図、（ｂ）背面図であって、テープ上に複数個成形されている。
【図１５】実施例３の、衣服のウエストサイズ延長具の使用法を説明する斜視図である。
【発明を実施するための形態】
【００１９】
以下、添付の図面に基づき本発明の実施例を説明する。
【実施例１】
【００２０】
図１，図２に示すように、本実施例のカギホック１は、一対のフック（雄部）２及びアイ（雌部）３としてそれぞれ合成樹脂により形成され、生地４、５に接合している。使用方法は、図２に示すように、指でフック２先端をアイ３に挿入して係合させるだけであり、従来と同様である。以下、それぞれの部品について詳細に説明する。
【００２１】
図３〜６はフック２の実施例を示す。図３は（ａ）正面図、（ｂ）背面図であって、テープ４上に同一間隔で複数個が合成樹脂の射出成形により成形されている。
【００２２】
テープ４生地としては、溶融されることなく溶融樹脂が透過する生地であることが必要で、織物でも編物でもよく、例えばポリエステル生地等を採用することができる。合成樹脂としては、熱可塑性樹脂、例えばポリアセタール溶融樹脂を使用することができる。１２０℃程度の耐熱性を持たせたものであることが好ましい。
【００２３】
フック２はテープの正面側と背面側が同一輪郭であって、双方共にテープ幅方向に伸びる基部２１と、この基部から垂直方向に伸びる先細りの延長部２２からなる。図４、図６に示すように正面側は延長部２２がテープから浮き上がっており、使用時にはこの延長部２２がアイ３に挿入される。背面側は全面的に生地に付着している。背面側は正面側を支持するのが目的であるから、それさえできれば形状や大きさは問わない。
【００２４】
さらに後記する目的で、正面側の浮き上がった延長部２２の内部表面にテープの幅方向に直線状に伸びる筋状突起２３（図５、図６）が形成されている。
【００２５】
フック２を成形する際には、フック成形用空間を形成した上下金型（図示せず）間に、溶融樹脂が成形圧力によって通過浸透する前記生地テープ４を配設する。ついでフック２の係合突起内側に位置するくぼみ部分２４の生地テープ４を前記上下金型で挟み込み固定する。その後、合成樹脂を前記成形空間内に射出し、生地テープ両面に形成されるフックの表面部側と裏面部側とを生地テープを透過する合成樹脂によって一体化させる。
【００２６】
図７〜１０はアイ３の実施例を示す。図３は（ａ）正面図、（ｂ）背面図であって、テープ５上に同一間隔で複数個が合成樹脂の射出成形により成形されている。
【００２７】
テープ５生地としては、溶融されることなく溶融樹脂が透過する生地であることが必要で、織物でも編物でもよく、例えばポリエステル生地等を採用することができる。合成樹脂としては、熱可塑性樹脂、例えばポリアセタール溶融樹脂を使用することができる。１２０℃程度の耐熱性を持たせたものであることが好ましい。
【００２８】
アイ３はテープ５の正面側と背面側が異形輪郭である。正面側は左右端部３１がやや盛り上がっており、浮き上がった正面板３２と、上部と内部の開放空間によりポケット３３を形成している。ポケット底部は閉鎖されている。図８、図１０に示すように、使用時にはこのポケットにフックが挿入される。背面側は角の取れた四角形の板状であって全面的に生地５に付着した支持部３６となっている。背面側支持部３６は正面側を支持するのが目的であるから、それさえできれば形状や大きさは問わない。
【００２９】
さらに、正面側の浮き上がった正面板３２の内部表面にテープの幅方向に直線状に伸びる筋状溝３４が形成されている。フック２がアイ３に挿入されたとき、フックの筋状突起２３（図１０）とこのアイの筋状溝３４が「カチッ」とスナップ嵌めされ、その位置で係合が仮固定されて安定する。
【００３０】
アイ３を成形する際には、アイ成形用空間を形成した上下金型（図示せず）間に、溶融樹脂が成形圧力によって通過浸透する前記生地テープを配設する。ついでアイ３の係合突起内側に位置するくぼみ部分３５の生地テープを前記上下金型で挟み込み固定する。その後、合成樹脂を前記成形空間内に射出し、生地テープ両面に形成されるアイの表面部側と裏面部側とを生地テープを透過する合成樹脂によって一体化させる。
【００３１】
このかぎホック１の使用方法は図１及び図２に関して説明したとおりである。図３及び図７の状態のテープからフック及びアイを一対使用するときにはそれぞれ切り取って使用する。
【００３２】
単一のフック及び複数のアイを使用して長さ調節のできるベルトやカーテンとして使用することもできる。
【実施例２】
【００３３】
テープ状のフック２Ａ及びアイ３Ａから一対のものを切り取り、後加工するときには、フック及びアイは図１１及び図１２に示す向きに形成する方が好ましい。すなわち、延長部２２Ａがテープの幅方向に向くようにフック２Ａがテープに対して接着され、ポケット３３Ａの上部開口がテープの長手方向に向くようにアイ３Ａがテープに対して接着されている。しかし、成型品を幅方向に引き抜かなければならないから金型の配置や成型品の取り出しはより困難となる。
【実施例３】
【００３４】
図１３〜１５は本発明の第３実施例である。この実施例では、図１３に示すように、フック２Ｂとアイ３Ｂが一片のテープ６にやや距離を置いて向かい合って取り付けられる。フック２Ｂおよびアイ３Ｂそれぞれは前記実施例1および２と同じものである。そのため、添付図面において前記実施例1および２と同じ符号に「Ｂ」を付することにより、各部品の詳細な説明を省略する。
【００３５】
フック２Ｂおよびアイ３Ｂの取り付け方は、両者の正面側がテープ６の表裏に位置する関係にある。すなわち、図１３、図１４に示すように、フック２Ｂの正面側がテープ６正面に取り付けられ、アイ３Ｂの正面側がテープ６の裏面に取り付けられる。
【００３６】
このような雌雄部材を併存させた一片のテープ６を製造するには、図１４に示すように長尺ものとして製造した後で、一点鎖線に沿って各テープに裁断するのが経済的である。
【００３７】
この雌雄部材を併存させた一片のテープ６には、いろいろな用途が考えられるが、たとえば、図１５に示すような衣服のウエストサイズ延長具１Ｂとして使用することができる。
【００３８】
たとえば、食事中・食後や運動中に一時的に胴回りが増加したとき、ズボンやスカートの本来のウエストサイズでは対応しきれなくなることがある。そのようなとき、この延長具１Ｂを使用することにより、事実上衣服のウエストサイズを増加させることができる。
【００３９】
この延長具１Ｂをズボンに取り付けるには、図１５に示すように、本来のホック７に延長具１Ｂのアイ３Ｂを係合させるだけでよい。本来のホック7はもはや開口部の連結には使用できなくなっているが、延長具１Ｂのホック２Ｂがその役割を果たし、本来のアイ８と連結可能である。この延長具１Ｂが本来のホック７とアイ８の間を介在するので、延長具の分だけズボンのウエストサイズが延長される。
【００４０】
好ましくは、延長具１Ｂを構成するテープを弾性体、たとえばゴムバンドとすることにより、それ自身も延長可能となり、二重の延長効果が得られる。
【先行技術文献】
【特許文献】
【００４１】
【特許文献１】特開２００４−１７６２２０
【符号の説明】
【００４２】
１     かぎホック
１Ｂ  衣服のウエストサイズ延長具
２，２Ａ，２Ｂ       フック
２１，２１Ｂ  基部
２２，２２Ｂ  延長部
２３   第１係合部（筋状突起）
２４  くぼみ部分
３，３Ａ，３Ｂ       アイ
３１   左右端部
３２，３２Ｂ  正面板
３３   ポケット
３４   第２係合部（筋状溝）
３５  くぼみ部分
３６  支持部
４     生地（テープ）
５     生地（テープ）
６     雌雄部材を併存させた一片のテープ
７     本来のフック
８     本来のアイ
【図１】
0006017882.tif 000002
【図２】
0006017882.tif 000003
【図３】
0006017882.tif 000004
【図４】
0006017882.tif 000005
【図５】
0006017882.tif 000006
【図６】
0006017882.tif 000007
【図７】
0006017882.tif 000008
【図８】
0006017882.tif 000009
【図９】
0006017882.tif 000010
【図１０】
0006017882.tif 000011
【図１１】
0006017882.tif 000012
【図１２】
0006017882.tif 000013
【図１３】
0006017882.tif 000014
【図１４】
0006017882.tif 000015
【図１５】
0006017882.tif 000016